(57)【要約】      （修正有）【課題】特定方向の一方の側への離脱が可能な状態で、特定方向にほぼ直交する一定方向に多数の物品が支持体に支持されて整列している場合に、それらの物品を効率良く受容して取り扱うことことができる物品受容案内器及びそれらの物品を効率良く排出させることができる物品排出装置を提供する。【解決手段】物品案内路を並列状に設け、物品案内路の一端に排出物品収容部を設ける。排出物品収容部は横方向に並ぶ。４箇所の排出物品収容部同士の間は、横方向に物品Ｗが移動し得る移動可能部とし、左端の排出物品収容部の外側は移動阻止部とし、右端の排出物品収容部の外側は移動切替部とする。物品案内路及び排出物品収容部に収容した物品Ｗは、開口部側及び収容開口部側において開口部側支持体により支持されることを特徴とする。【選択図】図２
2017086826.tif 000002
【特許請求の範囲】
【請求項１】
数個の又は多数の物品を受容して所定の案内方向に整列案内するための物品案内路と、その物品案内路の一端に連なるよう位置する排出物品収容部を有する物品受容案内器であって、
前記物品案内路の両側部をそれぞれ画し、その物品案内路に受容された物品を両側部において案内する、相対する両側部案内部と、
前記物品案内路の底部を画し、その物品案内路に受容された物品を底部において案内する底部案内部を有し、
前記物品案内路の底部に相対する側は、案内路に物品を受容するための開口部であり、
前記排出物品収容部は、前記物品案内路において前記案内方向に案内されてその物品案内路の一端から排出された物品を所定数収容し得るものであり、
収容した物品を底部において支持する底部支持部を有すると共に、
前記案内方向における排出物品収容部の一方の側は前記物品案内路に連通し、他方の側には、前記物品が前記案内方向に離脱することを防ぐための案内方向離脱防止部を有し、
前記両側部案内部が相対する方向である横方向における排出物品収容部の両側又は一方の側は、前記横方向に物品が移動し得る移動可能部又は前記横方向の物品移動の可否を切り替えることができる移動切替部であることを特徴とする物品受容案内器。
【請求項２】
上記物品案内路とその一端に連なるよう位置した排出物品収容部を、横方向に２以上並列した状態で有し、
横方向に隣り合う排出物品収容部同士の間は、横方向に物品が移動し得る移動可能部又は横方向の物品移動の可否を切り替えることができる移動切替部を通じ、案内方向離脱防止部に沿って物品が案内され得る請求項１記載の物品受容案内器。
【請求項３】
上記物品案内路に受容した物品を物品案内路の開口部側において支持し得る状態と、開口部を通じて物品案内路に物品を受容し得る状態を転換することができる開口部側支持体を備える請求項１又は２記載の物品受容案内器。
【請求項４】
上記排出物品収容部の底部に相対する側が、物品を受容するための収容開口部である請求項１又は２記載の物品受容案内器。
【請求項５】
上記物品案内路に受容した物品を物品案内路の開口部側において支持し得ると共に上記排出物品収容部に収容した物品を上記収容開口部側において支持し得る状態と、開口部を通じて物品案内路に物品を受容し得ると共に収容開口部を通じて排出物品収容部に物品を受容し得る状態を転換することができる開口部側支持体を備える請求項４記載の物品受容案内器。
【請求項６】
請求項１乃至５の何れか１項に記載の物品受容案内器を１又は２以上と、物品移送機構を備え、
前記物品受容案内器は、その物品案内路の下端に排出物品収容部が連なるよう位置し、その物品案内路に受容された物品がその案内方向に案内され、その物品案内路の下端から排出されて前記排出物品収容部に収容される態様に配置され得るものであり、
前記物品移送機構は、前記のように配置された物品受容案内器における排出物品収容部に収容された物品を、その排出物品収容部の横方向に駆動して、上記移動可能部又は移動切替部を通じて排出させ得るものである物品排出装置。
【発明の詳細な説明】
【技術分野】
【０００１】
本発明は、遊技店において特殊景品として取り扱われる物品を取り扱うための物品受容案内器及びそれらの物品を効率良く排出させることができる物品排出装置に関する。
【背景技術】
【０００２】
特開２０００−２５４３４０号公報には、薄板状の特殊景品Ｔ１乃至Ｔ３を払い出す特殊景品払出し機についての発明が記載されている。
【０００３】
このような特殊景品払出し機においては、特殊景品を積層状態にして収納する必要がある。
【０００４】
ところが、特殊景品の取り扱い上、トレイ上に薄板状の特殊景品を平置き状態で縦横に整列配置した状態で、すなわち全ての特殊景品を一覧確認できる状態で流通させている場合があり、このような場合は、一々薄板状の特殊景品を揃えて積み重ねて特殊景品払出し機に詰め込む必要があり、多数取り扱う上で極めて煩雑であった。
【先行技術文献】
【特許文献】
【０００５】
【特許文献１】特開２０００−２５４３４０号公報
【発明の概要】
【発明が解決しようとする課題】
【０００６】
本発明は、厚さ方向若しくは高さ方向等の特定方向の一方の側への離脱が可能な状態で、前記特定方向にほぼ直交する一定方向に数個の又は多数の物品が支持体に支持されて整列している場合に、それらの物品を効率良く受容して取り扱うことことができる物品受容案内器及びそれらの物品を効率良く排出させることができる物品排出装置を提供することを目的とする。
【課題を解決するための手段】
【０００７】
本発明の物品受容案内器及び物品排出装置は、次のように表すことができる。
【０００８】
(1) 数個の又は多数の物品を受容して所定の案内方向に整列案内するための物品案内路と、その物品案内路の一端に連なるよう位置する排出物品収容部を有する物品受容案内器であって、
前記物品案内路の両側部をそれぞれ画し、その物品案内路に受容された物品を両側部において案内する、相対する両側部案内部と、
前記物品案内路の底部を画し、その物品案内路に受容された物品を底部において案内する底部案内部を有し、
前記物品案内路の底部に相対する側は、案内路に物品を受容するための開口部であり、
前記排出物品収容部は、前記物品案内路において前記案内方向に案内されてその物品案内路の一端から排出された物品を所定数収容し得るものであり、
収容した物品を底部において支持する底部支持部を有すると共に、
前記案内方向における排出物品収容部の一方の側は前記物品案内路に連通し、他方の側には、前記物品が前記案内方向に離脱することを防ぐための案内方向離脱防止部を有し、
前記両側部案内部が相対する方向である横方向における排出物品収容部の両側又は一方の側は、前記横方向に物品が移動し得る移動可能部又は前記横方向の物品移動の可否を切り替えることができる移動切替部であることを特徴とする物品受容案内器。
【０００９】
トレイの上面部に一定形状をなす枠部が一定方向に数枠若しくは多数枠整列した枠部列が形成されており、その枠部列における各枠部に、一定形状の板状をなす多数の物品が、厚さ方向若しくは高さ方向の一方の側への離脱が可能な状態でその方向の他方の側において嵌合し、それらの物品が各枠部に支持されて整列している場合、
すなわち、
厚さ方向若しくは高さ方向等の特定方向の一方の側への離脱が可能な状態で、前記特定方向にほぼ直交する一定方向に数個の又は多数の物品が支持体に支持されて整列している場合、
物品受容案内器を用いて次のように物品を受容して所定の案内方向に案内し、横方向に送出され得るようにすることができる。
【００１０】
各枠部から物品が厚さ方向若しくは高さ方向の一方の側へ離脱可能な向きが上向きとなるようにトレイを配置し、物品案内路の開口部が下側となり、トレイ上で各枠部に支持されて整列している物品列に物品案内路が一致するように物品受容案内器をトレイ上に重ね合わせる。
【００１１】
このように両者を重ね合わせた状態を維持しつつ、トレイと物品受容案内器を上下反転させることにより、整列した状態を維持しつつ物品群を物品案内路に反転受容させることができる。トレイは物品受容案内器から分離することができる。
【００１２】
これにより、物品案内路に受容した物品は、その物品案内路の両側部案内部と底部案内部によって、その物品案内路の一端に連なるよう位置する排出物品収容部へ、所定の案内方向において整列案内され得る状態となる。この場合、必要に応じ、物品案内路に受容した物品を物品案内路の開口部側において支持し得る状態とすることができる。
【００１３】
排出物品収容部は、物品案内路において前記案内方向に案内されてその物品案内路の一端から排出された物品を所定数収容し得る。
【００１４】
排出物品収容部の一方の側は物品案内路に連通するが、他方の側には案内方向離脱防止部を有するので、前記物品が案内方向に離脱することが防がれる。
【００１５】
前記両側部案内部が相対する方向である横方向における排出物品収容部の両側又は一方の側は、横方向に物品が移動し得る移動可能部又は横方向の物品移動の可否を切り替えることができる移動切替部であるため、排出物品収容部に収容された物品は、その排出物品収容部から移動可能部又は移動切替部を通じて横方向に送出することが可能である。
【００１６】
排出物品収容部に収容された所定数の物品の全て又は一部を移動可能部又は移動切替部を通じて横方向に送出することにより、一端がその排出物品収容部に連なるよう位置する物品案内路に受容された他の物品が排出物品収容部へ案内されて収容され得る状態となり、これが繰り返されることにより、物品案内路に受容された物品は順次排出物品収容部へ案内されて収容され、更に、横方向に送出され得る。
【００１７】
(2) 上記物品案内路とその一端に連なるよう位置した排出物品収容部を、横方向に２以上並列した状態で有し、
横方向に隣り合う排出物品収容部同士の間は、横方向に物品が移動し得る移動可能部又は横方向の物品移動の可否を切り替えることができる移動切替部を通じ、案内方向離脱防止部に沿って物品が案内され得る上記(1)記載の物品受容案内器。
【００１８】
物品案内路とその一端に連なるよう位置した排出物品収容部を、横方向に２以上並列した状態で有し、横方向に隣り合う排出物品収容部同士の間は、横方向に物品が移動し得る移動可能部又は横方向の物品移動の可否を切り替えることができる移動切替部を通じ、案内方向離脱防止部に沿って物品が案内され得るので、横方向に隣り合う２以上の排出物品収容部にそれぞれ収容された物品を、横方向の一端部から他端部に向かって、各移動可能部又は移動切替部を通じ、案内方向離脱防止部に沿って横方向に送出することにより、各物品案内路に受容された他の物品が、その物品案内路の一端に連なるよう位置する排出物品収容部へ案内され収容され得る状態となる。各物品案内路とその一端に連なるよう位置した排出物品収容部においてこれが繰り返されることにより、各物品案内路に受容された物品は順次各排出物品収容部へ案内されて収容され、更に横方向に送出され得る。
【００１９】
(3) 上記物品案内路に受容した物品を物品案内路の開口部側において支持し得る状態と、開口部を通じて物品案内路に物品を受容し得る状態を転換することができる開口部側支持体を備える上記(1)又は(2)記載の物品受容案内器。
【００２０】
開口部側支持体が物品案内路に受容した物品を物品案内路の開口部側において支持し得る状態とした場合、物品案内路に物品を受容した状態での物品受容案内器の取り扱い中に、又は、物品案内路に受容された物品が鉛直方向若しくは９０度に近い傾斜方向若しくはその他の傾斜方向に案内される場合に、物品が開口部を通じて物品案内路から離脱することを防ぐことができる。
【００２１】
(4) 上記排出物品収容部の底部に相対する側が、物品を受容するための収容開口部である上記(1)又は(2)記載の物品受容案内器。
【００２２】
(5) 上記物品案内路に受容した物品を物品案内路の開口部側において支持し得ると共に上記排出物品収容部に収容した物品を上記収容開口部側において支持し得る状態と、開口部を通じて物品案内路に物品を受容し得ると共に収容開口部を通じて排出物品収容部に物品を収容し得る状態を転換することができる開口部側支持体を備える上記(4)記載の物品受容案内器。
【００２３】
(6) 上記(1)乃至(5)の何れか１項に記載の物品受容案内器を１又は２以上と、物品移送機構を備え、
前記物品受容案内器は、その物品案内路の下端に排出物品収容部が連なるよう位置し、その物品案内路に受容された物品がその案内方向に案内され、その物品案内路の下端から排出されて前記排出物品収容部に収容される態様に配置され得るものであり、
前記物品移送機構は、前記のように配置された物品受容案内器における排出物品収容部に収容された物品を、その排出物品収容部の横方向に駆動して、上記移動可能部又は移動切替部を通じて排出させ得るものである物品排出装置。
【００２４】
物品受容案内器を、その物品案内路の下端に排出物品収容部が連なるよう位置し、その物品案内路に受容された物品がその案内方向に案内され、その物品案内路の下端から排出されて前記排出物品収容部に収容される態様に配置することにより、物品移送機構が、排出物品収容部に収容された物品を、その排出物品収容部の横方向に駆動し、移動可能部又は移動切替部を通じて排出させる。
【００２５】
次いで、一端が排出物品収容部に連なるよう位置する物品案内路に受容された他の物品が排出物品収容部へ案内されて収容され、更に、その物品を、物品移送機構が排出物品収容部の横方向に駆動し、移動可能部又は移動切替部を通じて排出させる。
【００２６】
これが繰り返されることにより、物品案内路に受容された物品は順次排出物品収容部へ案内されて横方向に送出されて排出される。
【発明の効果】
【００２７】
本発明の物品受容案内器によれば、厚さ方向若しくは高さ方向等の特定方向の一方の側への離脱が可能な状態で、前記特定方向にほぼ直交する一定方向に数個の又は多数の物品が支持体に支持されて整列している場合に、物品を受容して所定の案内方向に案内し、横方向に送出され得るようにすることができる。
【００２８】
また本発明の物品排出装置によれば、本発明の物品受容案内器を用いて、物品を効率良く排出させることができる。
【図面の簡単な説明】
【００２９】
【図１】トレイの斜視図である。
【図２】物品を支持した状態のトレイの斜視図である。
【図３】物品受容案内器の本体部の斜視図である。
【図４】物品受容案内器の本体部を表裏反転させた状態の斜視図である。
【図５】トレイ上に物品受容案内器の本体部を重ね合わせた状態の斜視図である。
【図６】物品を支持した状態のトレイ上に物品受容案内器の本体部を重ね合わせた状態の斜視図である。
【図７】物品を受容した状態の物品受容案内器の本体部の斜視図である。
【図８】開口部側支持体の斜視図である。
【図９】本体部に開口部側支持体を結合させた状態の物品受容案内器の斜視図である。
【図１０】物品受容案内器を物品排出装置に配置した状態の要部正面図である。
【図１１】物品受容案内器を物品排出装置に配置した状態の要部右側面図である。
【図１２】物品受容案内器が支持盤に臨む状態の要部拡大右側面図である。
【図１３】物品受容案内器を物品排出装置に配置した状態の要部拡大右側面図である。
【図１４】物品排出装置の要部正面図である。
【図１５】物品排出装置の要部正面図である。
【図１６】物品排出装置の要部右側面図である。
【発明を実施するための形態】
【００３０】
[1] 本発明の実施の形態を、図面を参照しつつ説明する。
【００３１】
図面は、何れも本発明の物品受容案内器及び物品排出装置の実施の形態の一例についてのものである。
【００３２】
(1) この例の物品受容案内器Ａは、物品案内路Ｂと排出物品収容部Ｃを備えた本体部Ｄと、開口部側支持体Ｅを有し、物品排出装置Ｍは、複数の物品受容案内器Ａと、物品移送機構Ｎを備える。
【００３３】
(2) この物品受容案内器Ａ及び物品排出装置Ｍが対象とする物品は、直方体形状の板状をなす一定形状の物品Ｗであり、遊技店において特殊景品として取り扱われるものである。
【００３４】
長手方向の両端の上部に把手状部Ｔ１が張り出し形成されている平面視長方形状のトレイＴの上面部に、長手方向がトレイＴの短手方向である一定の方形状をなす枠部Ｔ２がトレイＴの長手（縦）方向に１０枠並んだ枠部列Ｔｒが、短手（横）方向に４列並列して設けられ、縦横碁盤目状に形成されている。これらの各枠部Ｔ２に、対象物品Ｗが、厚さ方向の一方の側（図１及び図２における上方）へ離脱可能な状態で、厚さ方向の他方の側（図１及び図２における下側）において嵌合し、それらの物品Ｗが各枠部Ｔ２に支持されて整列している。
【００３５】
(3) 物品受容案内器Ａ
【００３６】
(3-1) この物品受容案内器Ａの本体部Ｄは、トレイＴにおける４列の枠部列Ｔｒに対応する４列の物品案内路Ｂを並列状に有し、平面視において長方形状をなす。各物品案内路Ｂの長手方向が案内方向Ｇであり、各物品案内路Ｂの幅方向は対象物品Ｗの平面視における長手方向に対応し、各物品案内路Ｂの長さは、トレイＴにおける枠部列Ｔｒの長さにほぼ対応する。
【００３７】
各物品案内路Ｂは、幅方向に一定間隔で相対する垂直壁面状の側部案内部Ｂ１を有すると共に、両側部案内部Ｂ１からそれぞれ内方に垂直状に張り出し、両側部案内部Ｂ１に直交する一定の平面に沿う底部案内部Ｂ２を両側にそれぞれ有する。物品案内路Ｂの底部に相対する側（図３における上方側）は、案内路に物品Ｗを受容するための開口部Ｂ３である。開口部Ｂ３は、案内方向Ｇに連続する状態で図３における上向きに開口している。両底部案内部Ｂ２の内側の凹部Ｂ４における長手方向の中間部の両側には、長手方向が案内方向Ｇの方向である長方形状開口Ｂ５がそれぞれ設けられている。
【００３８】
両側部案内部Ｂ１と両底部案内部Ｂ２により画される物品案内路Ｂの横断面形状は、底辺に対し高さが低い方形状である。但し、横断面における底辺の中間部は凹部Ｂ４に臨んでいる。
【００３９】
物品Ｗは、その平面視における長手方向の両側部分の厚さ方向における一方の側（底部）において、物品案内路Ｂにおける両底部案内部Ｂ２及び両側部案内部Ｂ１により支持される。４列の各物品案内路Ｂは、物品Ｗを９個ずつ整列状態で受容し得る。
【００４０】
物品案内路Ｂ同士の間は、表裏両側面がそれぞれの側部案内部Ｂ１を構成する一定高さの壁板Ｂｂにより仕切られている。４列の物品案内路Ｂのうち外側のもの（第１列及び第４列）における外側の側部案内部Ｂ１は、本体部Ｄの長辺部を構成する側板Ｂｅの内側に設けられている。
【００４１】
各物品案内路Ｂの一端には、物品Ｗを１個ずつ収容し得る排出物品収容部Ｃが連なるよう位置する。従って、物品Ｗの列である各物品列Ｗｒは、物品案内路Ｂにおける９個の物品Ｗと、その物品案内路Ｂの一端に連なるよう位置する排出物品収容部Ｃにおける１個の物品Ｗによる１０個の物品Ｗからなる。物品案内路Ｂの他端は、物品Ｗの離脱を防ぐための壁状の物品離脱防止部Ｂｓである。
【００４２】
(3-2) 排出物品収容部Ｃは、物品案内路Ｂの一端に連なるよう位置し、収容した物品Ｗを、その厚さ方向の一方の側である底部において支持する平板状の底部支持部Ｃ１を有する。物品案内路Ｂの案内方向Ｇにおける排出物品収容部Ｃの一方の側はその物品案内路Ｂに連通し、案内方向Ｇにおける他方の側には、物品Ｗが案内方向Ｇに離脱することを防ぐための壁板状の案内方向離脱防止部Ｃ２を有する。
【００４３】
排出物品収容部Ｃの底部支持部Ｃ１と、物品案内路Ｂの両底部案内部Ｂ２は、一定平面に沿うよう構成されている。
【００４４】
案内方向離脱防止部Ｃ２の排出物品収容部Ｃに臨む面は、底部支持部Ｃ１に対し垂直な面を構成し、案内方向離脱防止部Ｃ２の立ち上げ高さは、排出物品収容部Ｃに収容される物品Ｗの高さよりも低く構成されている。また、案内方向離脱防止部Ｃ２の排出物品収容部Ｃに臨む垂直面は、横方向（両側部案内部Ｂ１が相対する方向である横方向）に沿う。
【００４５】
物品案内路Ｂの一端と案内方向離脱防止部Ｃ２の間隔は、物品Ｗの平面視における短手方向寸法に対応（ほぼ一致）する。従って、物品案内路Ｂの底部案内部Ｂ２により厚さ方向の一方の側が支持され、平面視における短手方向が案内方向Ｇに一致する状態で案内方向Ｇに案内されてその物品案内路Ｂの一端から排出された物品Ｗが、１個、排出物品収容部Ｃに収容され得る。
【００４６】
４列の物品案内路Ｂの一端にそれぞれ連なるよう位置する４箇所の排出物品収容部Ｃは、４列の物品案内路Ｂが横方向に並列するのと同様に、横方向に並んでいる。
【００４７】
横方向に並んだ４箇所の排出物品収容部Ｃ同士の間は、横方向に物品Ｗが移動し得る移動可能部Ｃｍ（想像線で示す）であり、この例においては、底部支持部Ｃ１上の該当箇所には何も存在しない。左端の排出物品収容部Ｃの横方向における外側（図４、７、１０、１４及び１５における左側）は、物品Ｗの横方向移動が阻止される移動阻止部Ｃｘである。右端の排出物品収容部Ｃの横方向における外側（図４、７、１０、１４及び１５における右側）は、横方向の物品Ｗの移動の可否を切り替えることができる移動切替部Ｃｐであり、移動切替部Ｃｐは、所定の状態以外では物品Ｗの移動を阻止するものである。これにより、排出物品収容部Ｃに物品Ｗを収容した状態での物品受容案内器Ａの取り扱い中に物品Ｗが排出物品収容部Ｃから横方向に脱落することを確実に防ぐことができる。
【００４８】
移動切替部Ｃｐに設けられた阻止部材Ｐは、所定状態以外、すなわち物品受容案内器Ａを物品排出装置Ｍの所定箇所に配装した状態以外では、弾性部材（図示を略す）による付勢により、物品Ｗの横方向の移動を阻止する阻止位置（図１２）をとる。阻止部材Ｐは、図１２及び１３における下部に解除突部Ｐ１を、上部に阻止部Ｐ２をそれぞれ有する。阻止部材Ｐが図１２に示す阻止位置にある場合、解除突部Ｐ１は下方に突出し、阻止部Ｐ２は移動切替部Ｃｐの一部（図１２における上部）を塞いだ状態となっている。このように移動切替部Ｃｐが移動阻止状態である場合、物品Ｗが排出物品収容部Ｃから移動切替部Ｃｐを通じて横方向へ離脱することが阻止される。
【００４９】
物品受容案内器Ａを物品排出装置Ｍの所定箇所に配装した状態（図１３）では、物品排出装置Ｍの支持盤Ｍｂにより、解除突部Ｐ１が弾性部材による付勢力に抗して上方に押し込まれる。これにより、阻止部Ｐ２が上方へ移動して移動切替部Ｃｐは全部開放され、移動阻止状態が解除された状態となる。この場合、物品Ｗが排出物品収容部Ｃから移動切替部Ｃｐを通じて横方向へ離脱し得る。
【００５０】
物品受容案内器Ａを所定箇所から取り外すことにより、支持盤Ｍｂによる解除突部Ｐ１の押込が解除され、弾性部材による付勢により阻止部材Ｐが元の位置に戻り、物品Ｗが排出物品収容部Ｃから移動切替部Ｃｐを通じて横方向へ離脱することを阻止する移動阻止状態に戻る。
【００５１】
排出物品収容部Ｃの底部に相対する側（図３における上方側）は、物品Ｗを受容することができる収容開口部Ｃ３である。
【００５２】
(3-4) 物品受容案内器Ａは開口部側支持体Ｅを備える。開口部側支持体Ｅは、横方向に並列した４列の物品案内路Ｂに受容した物品Ｗ及びそれらの物品案内路Ｂの一端にそれぞれ連なるよう位置して横方向に並んだ４箇所の排出物品収容部Ｃに収容した物品Ｗを、それぞれ開口部Ｂ３側及び収容開口部Ｃ３側において支持して開口部Ｂ３側からの物品Ｗの脱落を防ぎ得る支持状態と、開口部Ｂ３を通じて物品案内路Ｂに物品Ｗを受容し得ると共に収容開口部Ｃ３を通じて排出物品収容部Ｃに物品Ｗを収容し得る開口状態を転換することができる。
【００５３】
開口部側支持体Ｅは、物品案内路Ｂと排出物品収容部Ｃを備えた本体部Ｄとは別体の長方形蓋状をなし、その長辺部に設けられた外方への突起部Ｅ１を、本体部Ｄにおける側板Ｂｅの縁部に設けられた嵌合部Ｄ１に嵌合させることにより両者を結合させて支持状態とすること、及び、両者を離脱させて開口状態とすることができる。
【００５４】
(3-5) 上面部の各枠部Ｔ２に物品Ｗが支持されて整列している状態で上向きにトレイＴを配置し、物品案内路Ｂの開口部Ｂ３及び排出物品収容部Ｃの収容開口部Ｃ３が下側となり、トレイＴ上で各枠部Ｔ２に支持されて１０個ずつ整列している４列の物品列Ｗｒに、横方向に並列した４列の各物品案内路Ｂと排出物品収容部Ｃがそれぞれ一致するように、物品受容案内器Ａの本体部ＤをトレイＴ上に重ね合わせる（図６）。
【００５５】
このように両者を重ね合わせた状態を維持しつつ、トレイＴと物品受容案内器Ａを上下反転させることにより、各列の物品Ｗが整列した状態を維持しつつ物品Ｗ群を各物品案内路Ｂ及び排出物品収容部Ｃに反転受容させることができる。
【００５６】
次いで、トレイＴを物品受容案内器Ａの本体部Ｄから分離し（図７）、開口部側支持体Ｅの長辺部に設けられた突起部Ｅ１を本体部Ｄの側板Ｂｅに設けられた嵌合部Ｄ１に嵌合させて本体部Ｄに開口部側支持体Ｅを結合させることにより、横方向に並列した４列の物品案内路Ｂに受容した物品Ｗ及びそれらの物品案内路Ｂの一端にそれぞれ連なるよう位置して横方向に並んだ４箇所の排出物品収容部Ｃに収容した物品Ｗを、それぞれ物品案内路Ｂの開口部Ｂ３側及び収容開口部Ｃ３側において支持して物品Ｗの脱落を防ぎ得る支持状態（図９）とすることができる。  
【００５７】
開口部側支持体Ｅの基端部には把持部Ｅ２を有する。開口部側支持体Ｅの先端近傍部には、物品案内路Ｂと排出物品収容部Ｃの境界部における物品Ｗの受容状態及び収容状態を外部から視認し得る観察窓部Ｅ３が設けられている。開口部側支持体Ｅの先端部には、底部支持部Ｃ１との間に物品Ｗの厚さと同等又はそれよりも若干広い間隔を形成してそれらの間に物品Ｗを厚さ方向に位置決めすると共に、案内方向離脱防止部Ｃ２との間に間隙Ｓを形成する先端縁部Ｅ４が形成されている。底部案内部Ｂ２と開口部側支持体Ｅの間隔は、両者間において物品Ｗが物品案内路Ｂの案内方向Ｇ（特に鉛直方向又はそれに近い方向である場合）に円滑に案内されるような寸法的余裕が設けられている。
【００５８】
これにより、物品案内路Ｂに受容した物品Ｗは、その物品案内路Ｂの両側部案内部Ｂ１と底部案内部Ｂ２によって、その物品案内路Ｂの一端に連なるよう位置する排出物品収容部Ｃへ、所定の案内方向Ｇにおいて、物品Ｗの脱落を防ぎつつ整列案内され得る状態となる。
【００５９】
また、各物品案内路Ｂの一端に連なるよう位置する各排出物品収容部Ｃには、物品Ｗが１個ずつ収容され、それらの物品Ｗが、案内方向離脱防止部Ｃ２に沿って横方向に整列案内され得る状態となる。
【００６０】
(4) 物品排出装置Ｍ
【００６１】
(4-1) 物品受容案内器Ａを、その下端の案内方向離脱防止部Ｃ２が水平状の支持盤Ｍｂ上に位置するように直立させて、物品排出装置Ｍに配置する。これにより、物品受容案内器Ａは、各物品案内路Ｂの案内方向Ｇが鉛直方向であって、物品案内路Ｂの下端に排出物品収容部Ｃが連なるよう位置し、その物品案内路Ｂに受容された物品Ｗが案内方向Ｇに案内され、物品案内路Ｂの下端から排出されて排出物品収容部Ｃに収容される態様で物品排出装置Ｍに配置される。
【００６２】
物品受容案内器Ａをこのように配置した場合、前述のように、阻止部Ｐ２が上方へ移動して移動切替部Ｃｐは全部開放され、移動阻止状態が解除された状態となる。従って、移動切替部Ｃｐは、物品Ｗが横方向へ移動して排出物品収容部Ｃの外部へ排出されることが可能な状態となる。物品排出装置Ｍは、物品受容案内器Ａを１又は２以上、例えば並列状に有し、各物品受容案内器Ａに対応する物品移送機構Ｎを有するものとすることができる。
【００６３】
(4-2) 物品移送機構Ｎは、物品排出装置Ｍにおける支持盤Ｍｂの下側において水平方向に離間して位置する一対のスプロケットＮｐと、両スプロケットＮｐに対し張設されて上下に循環する無端チェーンＮｃと、無端チェーンＮｃに設けられた物品駆動体Ｖを有する。物品駆動体Ｖは、図１４及び１５において、無端チェーンＮｃの上側では支持盤Ｍｂの上方に突出した状態で右方に走行し、反転した下側では逆向きに走行して循環するものである。
【００６４】
物品移送機構Ｎは、物品受容案内器Ａの下端に位置して横方向に４つ並んだ排出物品収容部Ｃにそれぞれ収容された物品Ｗを、それらの排出物品収容部Ｃの下部に位置する案内方向離脱防止部Ｃ２と開口部側支持体Ｅの先端縁部Ｅ４の間に形成された間隙Ｓにおいて、案内方向離脱防止部Ｃ２に沿って横方向における図１０、１４及び１５の右向きに駆動して移動切替部Ｃｐを通じて排出させ、物品Ｗを外部へ供給し得る。
【００６５】
すなわち、図１０、１４及び１５の右横方向における後端である左端の排出物品収容部Ｃから前端である右端の排出物品収容部Ｃまで、物品駆動体Ｖが、案内方向離脱防止部Ｃ２と先端縁部Ｅ４の間隙Ｓを、図１０、１４及び１５における右向きに走行することにより、横方向に並んだ排出物品収容部Ｃに収容された物品Ｗのうち後端のものを押し出してその前に並んだ物品Ｗを順送りに移動切替部Ｃｐを通じて外部へ排出することができる。
【００６６】
横方向に並んだ排出物品収容部Ｃにおいて物品Ｗが順送りに送出されることにより、先ず後端である左端の排出物品収容部Ｃに物品Ｗが存在しない状態になると、下端がその排出物品収容部Ｃに連なる物品案内路Ｂに受容されている物品Ｗが、案内方向Ｇである下方へ案内され、１個の物品Ｗが、その排出物品収容部Ｃに収容される。次いで、後端である左端から２番目の排出物品収容部Ｃ、３番目の排出物品収容部Ｃ、そして前端の排出物品収容部Ｃと、順次物品Ｗが存在しない状態になり、下端が各排出物品収容部Ｃに連なる物品案内路Ｂに受容されている物品Ｗが、案内方向Ｇである下方へ案内され、１個の物品Ｗが、それぞれの排出物品収容部Ｃに収容される。
【００６７】
図１０、１４及び１５における後端である左端の排出物品収容部Ｃから前端である右端の排出物品収容部Ｃまで、物品駆動体Ｖの走行が繰り返されることにより、このように、物品案内路Ｂ及び排出物品収容部Ｃに受容されている物品Ｗが順次移動切替部Ｃｐを通じて横方向へ駆動され、外部へ排出される。
【００６８】
移動切替部Ｃｐを通じて送出する物品Ｗの数は、センサを利用して計数し、駆動手段のオン・オフと連繋させて制御することができる。
【００６９】
[2] 本発明の実施の形態を、上記以外の形態を含めて更に説明する。
【００７０】
(1) 本発明の物品受容案内器は、物品案内路と排出物品収容部を有する。
【００７１】
本発明の物品排出装置は、１又は２以上の本発明の物品受容案内器と、物品移送機構を備えるものである。
【００７２】
(2) 本発明の物品受容案内器及び物品排出装置が対象とする物品は、物品受容案内器により所定の案内方向に案内されるのに適した物品である。例えば、直方体形状若しくは立方体形状の物品、その他の形状の物品、特に、直方体形状の板状の物品、その他の形状の板状の物品を挙げることができるが、これらに限るものではない。好ましくは一定形状の物品である。具体的な例の一つは、遊技店において特殊景品として取り扱われる外形が方形板状をなす一定形状の物品である。
【００７３】
このような物品が、その厚さ方向若しくは高さ方向等の特定方向の一方の側への離脱が可能な状態で、前記特定方向にほぼ直交する一定方向に数個の又は多数の物品がトレイ状又はその他の形態の支持体に支持されて整列している場合に、本発明の物品受容案内器にそれらの物品を受容して所定の案内方向に案内し、横方向に送出され得るようにすることができる。
【００７４】
トレイ状の支持体に物品が支持されている例としては、トレイの上面部に一定形状をなす枠部が一定方向に数枠若しくは多数枠整列した枠部列が形成されており、その枠部列における各枠部に、一定形状の板状をなす多数の物品が、厚さ方向若しくは高さ方向の一方の側への離脱が可能な状態でその方向の他方の側において嵌合し、それらの物品が各枠部に支持されて整列しているものを挙げることができる。
【００７５】
(3) 物品受容案内器
【００７６】
(3-1) 物品受容案内器における物品案内路は、数個の又は多数の物品を受容して所定の案内方向に整列案内するためのものであり、物品案内路の両側部をそれぞれ画し、その物品案内路に受容された物品を両側部において案内する、基本的に一定間隔（物品の案内に支障のない凹部や孔部等を有してもよい）で相対する両側部案内部と、前記物品案内路の底部を画し、その物品案内路に受容された物品を底部において案内する底部案内部を有し、前記物品案内路の底部に相対する側は、案内路に物品を受容するための開口部である。
案内方向は、所定の直線に沿った方向であることが一般的であるが、支持体に支持されて整列している物品が直線に沿って整列していない場合は、それに応じたものとすることもできる。
【００７７】
物品案内路の横断面は、開口部以外は閉じているものとすることができるが、必ずしもこれに限るものではない。
【００７８】
物品案内路の形状の例としては、横断面が方形状若しくは方形状から底辺を外方に湾曲膨出させた形状をなす溝形状（特に横断面において底辺の長さに比し高さが低いもの）であるもの（すなわち、横断面の側壁が側部案内部であり、底面が底部案内部であるもの）、底部のうち中間部を有しない横断面形状であるもの（すなわち、側壁が側部案内部であり、中間部を除いた底部が底部案内部であるもの）、底部のうち両端部を有しない横断面形状であるもの（すなわち、側壁が側部案内部であり、底部のうち中間部のみが底部案内部であるもの）等を挙げることができるが、これらに限るものではない。
【００７９】
物品案内路の開口部は、案内方向に連続する状態で開口するものである。厚さ方向若しくは高さ方向等の特定方向の一方の側への離脱が可能な状態で支持体に整列支持されている物品群に前記開口部が臨むように物品受容案内器を位置させ、その状態を保ちつつ前記開口部が上向きになるようにすることにより、前記物品群を、整列した状態を維持しつつ前記開口部を介して物品案内路に反転受容し得る。
【００８０】
物品案内路の一端には排出物品収容部が連なるよう位置する。物品案内路の他端は、物品の離脱を防ぐための物品離脱防止部とすることが好ましい。
【００８１】
(3-2) 物品受容案内器における排出物品収容部は、物品案内路の一端に連なるよう位置し、収容した物品を底部において支持する底部支持部を有すると共に、前記案内方向における排出物品収容部の一方の側は前記物品案内路に連通し、前記案内方向における他方の側には、前記物品が前記案内方向に離脱することを防ぐための案内方向離脱防止部を有する。排出物品収容部の底部支持部と、物品案内路の底部は、同一の平面に沿うものとすることができるが、必ずしもこれに限るものではない。
【００８２】
排出物品収容部は、前記物品案内路において前記案内方向に案内されてその物品案内路の一端から排出された物品を所定数（好ましくは１個）収容し得るものである。例えば、排出物品収容部に収容された所定数（例えば１個）の物品により、その排出物品収容部に一端が連なるよう位置する物品案内路からその排出物品収容部に対する物品の排出ができない状態（例えばその物品案内路から物品の一部がはみ出すことができない状態）となるものとすることができる。また、物品案内路の一端と案内方向離脱防止部の間隔を、物品案内路の一端から排出される物品の前記案内方向の寸法に対応する（ほぼ一致する）ものとすることにより、排出物品収容部に物品を１個収容し得るものとすることができる。
【００８３】
底部支持部は、平坦面において収容した物品の底部を支持するものとすることができるが、これに限るものではない。
【００８４】
案内方向離脱防止部は、底部支持部における案内方向の前記他方の側において、排出物品収容部の底部に相対する側に立ち上げられたものとすることができる。案内方向離脱防止部の立ち上げ高さは、排出物品収容部に収容された物品の高さより低いものとすることができる。或いは、案内方向離脱防止部に、例えば、排出物品収容部に収容された物品の高さの中間位置において前記横方向に伸びる長孔が形成されているものとすることもできる。
【００８５】
前記両側部案内部が相対する方向である横方向における排出物品収容部の両側又は一方の側は、前記横方向に物品が移動し得る移動可能部又は前記横方向の物品移動の可否を切り替えることができる移動切替部である。
【００８６】
なお、排出物品収容部が横方向に２以上並んだ状態である場合、横方向における一方の端に位置する排出物品収容部の横方向における外側は、物品の横方向移動が阻止される移動阻止部とすることができる。横方向における一方又は両方の端に位置する排出物品収容部の横方向における外側が移動可能部であるものとすると、排出物品収容部に物品を収容した状態での物品受容案内器の取り扱い中に物品が脱落することが生じ得るので、両方を移動切替部とするか一方を移動阻止部として他方を移動切替部とすることによりこれを防ぐことが望ましい。
【００８７】
また、排出物品収容部が横方向に２以上並んだ状態である場合、排出物品収容部同士の間は移動可能部とすることが構造を簡潔にする上で好ましい。
【００８８】
また、排出物品収容部が横方向に並ばない場合の横方向における一方の側も移動阻止部とすることができる。排出物品収容部に物品を収容した状態での物品受容案内器の取り扱い中に物品が脱落することを防ぐ上で、両方を移動切替部とするか、一方を移動阻止部として他方を移動切替部とすることが望ましい。
【００８９】
両側部案内部が相対する方向である横方向としては、例えば両側部案内部が相対する面に直交する方向であることが好ましいが、必ずしもこの限りではない。両側部案内部が相対する面に対し、ある程度傾斜した角度で交差する方向とすることもできる。案内方向離脱防止部は、横方向に沿うものとすることができる。
【００９０】
横方向の物品移動の可否を切り替えることができる移動切替部としては、例えば、弾性部材による付勢等により、一定状態以外では横方向の物品移動ができないように阻止部材が阻止位置をとり、一定状態では、例えば前記弾性部材による付勢等に抗して阻止部材が阻止位置から移動して移動阻止状態が解除される（例えば物品受容案内器を物品排出装置の所定箇所に配装した状態で、その所定箇所が、若しくは所定箇所に設けられた解除突起等の解除部が、阻止部材を押圧して弾性部材による付勢等による移動阻止状態が解除され、物品受容案内器を所定箇所から取り外すことにより前記押圧がなくなって弾性部材による付勢等による移動阻止状態に戻る）ものとすることができるが、これに限るものではない。
【００９１】
排出物品収容部の底部に相対する側は、物品案内路の開口部と同様に支持体に整列支持されている物品群の一部の物品を受容することができる収容開口部であるものとすることができるほか、その排出物品収容部に収容した物品を支持し得る開口しない天部支持部を有するものとすることもできる。
【００９２】
なお、排出物品収容部は、その全体又は一部を、物品案内路を構成する部分と一体とすることが好ましいが、必ずしもこれに限るものではない。
【００９３】
(3-3) 本発明の物品受容案内器は、
上記物品案内路とその一端に連なるよう位置した排出物品収容部（それらの組み合わせ）を、横方向に２以上並列した状態で有し、
横方向に隣り合う排出物品収容部同士の間は、横方向に物品が移動し得る移動可能部又は横方向の物品移動の可否を切り替えることができる移動切替部を通じ、案内方向離脱防止部に沿って物品が案内され得るものとすることができる。
【００９４】
案内方向離脱防止部が物品案内路の案内方向に対し直交する場合も、案内方向離脱防止部が物品案内路の案内方向に対し傾斜する場合も、２以上並んだ排出物品収容部における案内方向離脱防止部は、隣接する案内方向離脱防止部同士が連続するように位置するものとすることができる。
【００９５】
(3-4) 本発明の物品受容案内器は、１つの又は２以上横方向に並列した物品案内路に受容した物品を物品案内路の開口部側において支持し得、物品受容案内器の取り扱い中や物品案内路において案内方向に物品を案内する際に物品案内路に受容した物品が開口部側から脱落することが防がれる支持状態と、開口部を通じて１つの又は２以上横方向に並列した物品案内路に物品を受容し得る開口状態を転換することができる開口部側支持体を備えるものとすることができる。
【００９６】
開口部側支持体は、各物品案内路の開口部を全て覆い得るものとすることができるが、物品案内路に受容した物品を物品案内路の開口部側において支持し得るものであればこれに限らず、例えば各物品案内路の開口部を部分的に覆い得るものとすることもできる。
【００９７】
開口部側支持体は、物品案内路を構成する部分と別体（例えば着脱可能な蓋状のもの、或いは、物品排出装置の一部等）とすることができるほか、例えば、物品案内路を構成する部分とヒンジ部により結合した又は摺動可能に結合した蓋状又はその他の態様のものとすることもできる。
【００９８】
また、開口部側支持体は、上記排出物品収容部に収容した物品を収容開口部側において支持し得る支持状態と、収容開口部を通じて前記排出物品収容部に物品を収容し得る開口状態を転換することができるものとすることができる。
【００９９】
更に、上記排出物品収容部は、物品案内路を構成する部分と別体の又は結合した開口部側支持体と、一体をなすものとすることもできる。
【０１００】
開口部側支持体の先端部（物品案内路の案内方向における先端部に対応する部分）には、底部支持部との間に物品の所定方向の寸法（例えば厚さ）と同等又はそれよりも若干広い間隔を形成してそれらの間に物品をその方向に位置決めすると共に、案内方向離脱防止部との間に間隙を形成する部分が形成されているものとすることができる。底部案内部と開口部側支持体の間隔は、両者間において物品が物品案内路の案内方向（特に鉛直方向又はそれに近い方向である場合）に円滑に案内されるような寸法的余裕が設けられるものとすることができる。
【０１０１】
(4) 物品排出装置
【０１０２】
(4-1) 本発明の物品排出装置における１又は２以上の物品受容案内器は、その物品案内路の下端に排出物品収容部が連なるよう位置し、その物品案内路に受容された物品がその案内方向に案内され、その物品案内路の下端から排出されて前記排出物品収容部に収容される態様に配置され得るものである。
【０１０３】
物品受容案内器をこのように配置した場合、移動切替部は横方向の物品移動が可能な状態となるものとすることができる。
【０１０４】
物品受容案内器が配置される態様としては、各物品案内路の案内方向が鉛直方向であり、物品案内路の下端に排出物品収容部が連なるよう位置するものが好ましいが、物品案内路の案内方向を、例えば４５度以上９０度未満の傾斜方向とすることもできる。好ましくは６０乃至８０度以上９０度未満の傾斜方向である。
【０１０５】
物品案内路に受容された物品が案内方向に案内されて排出物品収容部に至るためには（特に、案内方向が鉛直方向又は９０度に近い傾斜方向である場合）、開口部側支持体が、物品案内路に受容した物品を物品案内路の開口部側において支持し得る状態とすることが好ましい。
【０１０６】
(4-2) 本発明の物品排出装置における物品移送機構は、上記のように配置された物品受容案内器における排出物品収容部に収容された物品を、その排出物品収容部の横方向（一般的には何れか所定の一方の向き）に駆動して、上記移動可能部又は移動切替部（物品の横方向移動を可能な状態とした移動切替部）を通じて排出させ得るものである。
【０１０７】
上記のように配置された物品受容案内器においては、排出物品収容部が下端に位置し、それらの排出物品収容部の下部に案内方向離脱防止部が位置することとなる。
【０１０８】
物品受容案内器に、物品案内路とその一端に連なるよう位置した排出物品収容部の組み合わせを、横方向に２以上並列した状態で有する場合、下端に位置して横方向に並んだ排出物品収容部にそれぞれ収容された物品を、それらの排出物品収容部の下部に位置する案内方向離脱防止部と開口部側支持体の間に形成された間隙において、案内方向離脱防止部に沿って（又は、例えば、横方向に並んだ全ての排出物品収容部にわたり、案内方向離脱防止部における横方向に長孔を設けた場合は長孔の内側で）横方向のうち所定の一方の向きに駆動して上記移動可能部又は移動切替部を通じて送出するものとすることができる。
【０１０９】
そのような駆動手段としては、例えば、各排出物品収容部に収容された物品をそれぞれ横方向のうち所定の一方の向きに駆動（例えばベルトコンベヤやその他の無端ベルトやチェーンを利用した搬送装置を利用して駆動）して送出するもの、或いは、横方向のうち所定の一方の向きにおける後端の排出物品収容部から前端の排出物品収容部まで、一つの物品駆動体が所定の一方向に走行することにより、横方向に並んだ排出物品収容部に収容された物品のうち後端のものを押し出してその前に並んだ物品を順送りに送出するもの等を挙げることができる。
【０１１０】
後者のような物品駆動体は、上下に循環する無端チェーンや無端ベルトを下方に設け、その無端チェーンや無端ベルトにより走行するもの、すなわち、上側では物品駆動体が所定の一方の向きに走行し、反転した下側では逆向きに走行して循環するものとすることができる。
【０１１１】
このような駆動手段は、物品案内路とその一端に連なるよう位置した排出物品収容部の組み合わせが単一であって複数並列しない場合も用いることができる。
【０１１２】
上記移動可能部又は移動切替部を通じて送出する物品の数は、例えば、光学的若しくはその他の物理的な又は機械的なセンサや計数器等を利用して計数し、前記のような駆動手段のオン・オフと連繋させることにより制御することができる。
【符号の説明】
【０１１３】
Ａ      物品受容案内器
Ｂ      物品案内路
Ｂ１    側部案内部
Ｂ２    底部案内部
Ｂ３    開口部
Ｂ４    凹部
Ｂ５    長方形状開口
Ｂｂ    壁板
Ｂｅ    側板
Ｂｓ    物品離脱防止部
Ｃ      排出物品収容部
Ｃ１    底部支持部
Ｃ２    案内方向離脱防止部
Ｃ３    収容開口部
Ｃｍ    移動可能部
Ｃｐ    移動切替部
Ｃｘ    移動阻止部
Ｄ      本体部
Ｄ１    嵌合部
Ｅ      開口部側支持体
Ｅ１    突起部
Ｅ２    把持部
Ｅ３    観察窓部
Ｅ４    先端縁部
Ｇ      案内方向
Ｍ      物品排出装置
Ｍｂ    支持盤
Ｎ      物品移送機構
Ｎｃ    無端チェーン
Ｎｐ    スプロケット
Ｐ      阻止部材
Ｐ１    解除突部
Ｐ２    阻止部
Ｓ      間隙
Ｔ      トレイ
Ｔ１    把手状部
Ｔ２    枠部
Ｔｒ    枠部列
Ｖ      物品駆動体
Ｗ      物品
Ｗｒ    物品列
【図１】
2017086826.tif 000003
【図２】
2017086826.tif 000004
【図３】
2017086826.tif 000005
【図４】
2017086826.tif 000006
【図５】
2017086826.tif 000007
【図６】
2017086826.tif 000008
【図７】
2017086826.tif 000009
【図８】
2017086826.tif 000010
【図９】
2017086826.tif 000011
【図１０】
2017086826.tif 000012
【図１１】
2017086826.tif 000013
【図１２】
2017086826.tif 000014
【図１３】
2017086826.tif 000015
【図１４】
2017086826.tif 000016
【図１５】
2017086826.tif 000017
【図１６】
2017086826.tif 000018